Podtech/llm-jp-corpus-v4-ja_patent huggingface dataset:
(57)【要約】      （修正有）【課題】パイプ棚の上に載置され落下、汚れ等を防止する棚板を提供する。【解決手段】所定間隔で復数のパイプ１が配置されたパイプ棚の上に載置される棚板１０であって、棚板は復数のパイプにまたがって載置され、一方側縁に形成され最も手前に配置されたパイプに保止するフック部２とフック部の反対側の側縁に形成されるパイプの下側に差し込まれる差込部３とを備える。【選択図】図１
0003186851.tif 000002
【実用新案登録請求の範囲】
【請求項１】
所定の間隔で復数のパイプが配置されたパイプ棚の上に裁置される棚板であって棚板は復数のパイプにまたがって裁置され一方の側線に形成され最も手前に配置されたパイプに係止するフック部と，
フック部の反対側の側縁に形成されパイプの下側に差し込まれる差込部と
を備える棚板。
【考案の詳細な説明】
【技術分野】
【０００１】所定間隔で復数のパイプが配置されたパイプ棚の上に裁置される棚板である。
【背景技術】
【０００２】テーブルや机の天板の下に設けられている棚は所定間隔で，復数のパイプが配置されたパイプ棚である。
この為，このパイプ棚に手袋．マフラー等をおく度に滑り落ちてしまい困ったものだとなんとかしたいと考へました。
【考案の概要】
【考案が解決しようとする課題】
【０００３】従来は物品をパイプ棚に置いていても本人の知らぬ間に振り落ちている。そこで落下，汚れ等を防止する棚板を提供する。
【課題を解決する為の手段】
【０００４】所定の間隔で複数のパイプが配置されたパイプ棚の上に裁置される棚板であって，
棚板は複数のパイプにまたがって裁置され，
一方の側縁に形成され，最も手前に配置されたパイプに係止するフック部と，
フック部の反対側の側縁に形成され，パイプの下側に差し込まれる差し込み部とを備える棚板。
【考案の効果】
【０００５】棚板を設けたことで物品が落ちないので物品の落下による汚れを防止できる。
フック部を設けた事で棚板がストッパーで先へ移動しない。
差し込み部を設けた事で先端が浮上しないで水平を保つ。
任意の場所へ取外して即設置が可能である。
【図面の簡単な説明】
【０００６】
【図１】本考案の実施形態に係るパイプ棚の上に裁置された棚板の断面図である。
【図２】上部から見た前記実施形態に係る棚板の平面図である。
【図３】前記実施形態の変形例を説明する図である。
【図４】前記実施形態の変形例を説明する図である。
【考案を実施するための形態】
【０００７】図１及び図２に示すように本考案の実施形態に依る棚板１０は，所定の間隔で復数のパイプ１が配置されたパイプ棚の上に裁置される。
また棚板１０は復数のパイプにまたがって裁置され，一方の側縁に形成され，最も手前に配置されたパイプ１に係止する。
フック部２と，フック部２の反対側の側縁に形成され，パイプ１の下側に差し込まれる差し込み部３と，を備える。
更に，棚板１０は，短辺方向側縁近傍に設けられた一対の固定部４と，一対の固定部４に両端が固定され裁置された物を押えるストッパー７と一対の固定部４からそれぞれ一端が
0003186851.tif 000003
棚板１０はダンボール使用する。但しプラスチックを使用してもよい。
【０００８】フック部２はコの字に曲げてある。
【０００９】差し込み部３は４５°傾斜してある。
【００１０】固定部４は本体に形成された孔である。
【００１１】
0003186851.tif 000004
【００１２】後方ストッパー６は強化ピンチである。
【００１３】ストッパー７はゴム紐であり，滑り止めである。
【００１４】図３及び図４は上記実施形態に係る棚板１０の変形例を示す図である。
変形例では移動等する折に小型で携帯するのに便利な様に棚板１０を２つ折りにするために後方折り曲げ部８を設けた。
後方折り曲げ部８は棚板１０の中間部に設けられた蝶番である。
【符号の説明】
【００１５】  １    パイプ
２    フック部
３    差し込み部
４    固定部
0003186851.tif 000005
６    後方ストッパー
７    ストッパー
８    後方折曲部
１０    棚板
【図１】
0003186851.tif 000006
【図２】
0003186851.tif 000007
【図３】
0003186851.tif 000008
【図４】
0003186851.tif 000009
(57)【要約】      （修正有）【課題】従来の遊動式おもり疑似餌１本体に比べて、無抵抗且つラインに傷を付けずに完全なするする遊動式を実現することが可能な完全遊動するするおもり疑似餌を提供する。【解決手段】おもり疑似餌８本体に、ＳｉＣ材またはアルミナ材パイプ９、或いはＳｉＣ材またはアルミナ材リングを装着することによって、該おもり疑似餌８本体は全くライン７を触れることはなく、該当ライン７の上でするする遊動することが可能になり、且つ該ライン７に傷を付けずに完全遊動式を実現する。【選択図】図４
0003186853.tif 000002
【実用新案登録請求の範囲】
【請求項１】
魚を釣るための誘いおもり疑似餌８であり、該おもり疑似餌８の本体は海の中により速く沈下させるために、鉛や比重の高い高価なリアルメタルなどが使用され、またより効率良い釣果を得るために、その時その時の釣り場の環境に合わせ該おもり疑似餌８の本体色やフックシステム４を絶えず変える必要があり、また魚に違和感を与えずライン７に傷を付けず確実に魚を釣るために、該おもり疑似餌８本体を通す該ライン７の上でするすると完全遊動を実現する必要があり、そこで本考案の該おもり疑似餌８本体の該ライン７を通す貫通孔６に、本考案のＳｉＣ材（炭化ケイ素）又はＡｌ２Ｏ３材（アルミナ）のパイプ９やリング１０を装着することによって、ＳｉＣ材又はアルミナ材パイプ９またリング１０は硬くて耐熱性が良く且つ表面滑りが良いため、該おもり疑似餌８本体は該ライン７の上でするすると完全遊動が可能にすることと、該おもり疑似餌８本体はライン７の上で激しく往復するにもかかわらず該ライン７に全く損傷を与えないことと、を特徴とする完全遊動するするおもり疑似餌。
【考案の詳細な説明】
【考案の詳細な説明】
【考案が解決しようとする課題】
【０００１】  従来のおもり疑似餌１本体は、図１で示すよう遊動可能にするために予めライン７の通す貫通孔６が設けられ、そして該ライン７を該おもり疑似餌１本体の該貫通孔６を通し、該おもり疑似餌１本体を該ライン７の上で往復遊動させるのが一般的な遊動式の構造である。そこで、該おもり疑似餌１本体は魚が掛かった場合、図２で示すように常に該ライン７は釣り人２と魚３との間で作用と反作用の方向に強いテンションｆ１とｆ２で引っ張られ、該貫通孔６は裸のままであるため、該ライン７の上で該おもり疑似餌１本体が往復遊動すると、該ライン７は常に該貫通孔６の周囲の壁と直接に触れ摩擦を起こし該ライン７に傷を付けラインブレークし易い状態にしてしまう。そこで、前記の該ライン７のラインブレークを改善するために、図３で示すように従来のおもり疑似餌１本体のライン７を通す貫通孔６にチューブまたはパイプ１１を装着する。該当チューブまたはパイプ１１は材質によって抵抗が増す場合があるため逆にブレーキのようになり、該おもり疑似餌１本体はスムースな遊動運動が不可能になり、遊動すればするほど熱が生じて最終的に該チューブまたはパイプ１１が破られ、該ライン７は該おもり疑似餌１本体の該貫通孔６と接触し傷を付けられてしまう。いずれのケースも、せっかく魚がフッキングしても、該魚とやり取りすればするほどラインが傷んでしまい途中で切れてしまう。
【考案が解決するための手段】
【０００２】    そこで、図４と図５とで示す本考案のおもり疑似餌８本体に、本考案のＳｉＣ材またはアルミナ材パイプ９、或いはＳｉＣ材またはアルミナ材リング１０を装着することによって、該おもり疑似餌８本体は全くライン７を触れることはなく、該当ライン７の上でするする遊動が可能になり、且つ該ライン７に傷を付けずに完全遊動式を実現する。
【実施例】
【０００３】    本考案に係わる完全遊動式するする疑似餌を実現するためのＳｉＣ材またはアルミナ材パイプ９は、図４で示すように疑似餌８本体のライン７を通す貫通穴６にＳｉＣ材またはアルミナ材パイプ９を装着し、該ＳｉＣ材またはアルミナ材パイプ９の長さは該貫通穴６の長さより長く、該おもり疑似餌８本体の両開口よりも突出し状態で設けることによって、該ＳｉＣ材またはアルミナ材パイプ９の中を通すライン７は完全に保護されおもり疑似餌８本体と全く触れることはなく、該ライン７を傷めることはなく完全なするする遊動を可能にする。また、おもり疑似餌８本体の材料によって、１本の長いＳｉＣ材またはアルミナ材パイプ９の装着が困難な場合、図５で示すようにＳｉＣ材またはアルミナ材リング１０をライン７とおもり疑似餌８本体とよく接触する箇所の出口１４とその反対側の出口１５に設けることによって、該ＳｉＣ材またはアルミナ材パイプ９と同効果が得られる完全遊動が実現できる。
【考案の効果】
【０００４】    本考案のおもり疑似餌８本体のライン７を通す貫通穴６にＳｉＣ材またはアルミナ材パイプ９、或いはＳｉＣ材またはアルミナ材リング１０を装着することによって、従来の遊動式おもり疑似餌１本体に比べて、無抵抗且つ該ライン７に傷を付けずに完全なするする遊動式を実現することが可能にし、ラインブレークの心配はなく安心して楽しい釣りを望むことができ、且つ確実に実現する。
【図面の簡単な説明】
【図１】  従来のおもり疑似餌を示す図
【図２】  従来のおもり疑似餌の魚が掛かった時の状況を示す図
【図３】  従来のおもり疑似餌にチューブまたはパイプを装着した状態を示す図
【図４】  本考案のＳｉＣ材またはアルミナ材パイプを装着したおもり疑似餌を示す図
【図５】  本考案のＳｉＣ材またはアルミナ材リングを装着したおもり疑似餌を示す図
【符号の説明】  １  従来のおもり疑似餌
２  釣人
３  魚
４  フックシステム
５  釣り針
６  貫通孔
７  ライン
８  本考案のおもり疑似餌本体
９  本考案のＳｉＣ材またはアルミナ材パイプ
１０  本考案のＳｉＣ材またはアルミナ材リング
１１  チューブまたはパイプ
【図１】
0003186853.tif 000003
【図２】
0003186853.tif 000004
【図３】
0003186853.tif 000005
【図４】
0003186853.tif 000006
【図５】
0003186853.tif 000007
(57)【要約】      （修正有）【課題】ペンダントチェーンをペンダントトップから取り外し、ペンダントトップの形状等を変化させる作業を排除し、より簡便的に形状等を変化できるペンダントトップを提供する。【解決手段】ペンダントトップのジョイント部が、石を留めるための石座部１、前記石座部の背面部に設けられた可動部２、前記石座部から可動部が外れないように固定するための固定部３の３層構造とされており、前記石座部１は、さらにペンダントトップをペンダントチェーンに引掛けるための引掛け部４を備える。【選択図】図１
0003186858.tif 000002
【実用新案登録請求の範囲】
【請求項１】
ペンダントトップのジョイント部を、石を留めるための石座部（１）、前記石座部の背面部に設けられた可動部（２）、石座部から可動部が外れないように固定するための固定部（３）の３層構造とする。同時にペンダントトップをペンダントチェーンに引掛けるための引掛け部（４）をペンダントチェーンの右側に掛ける、左側に掛ける、もしくは掛けることを行わないことによって、ペンダントトップの形状等を変化させる装身具用ペンダントトップ。
【考案の詳細な説明】
【技術分野】
【０００１】
本考案は、貴金属製品の内、ペンダント、ネックレスに該当するものである。
【背景技術】
【０００２】
従来の技術では、ペンダントチェーンをペンダントトップから取り外し、再度ペンダントトップにペンダントチェーンを取り付け直すことによってのみ、ペンダントトップの形状を変更できた。または、ペンダントトップ自体を複数点の複合パーツで構成し、其々のパーツを単独もしくは複合でペンダントチェーンに通すことによって、ペンダントトップの見せ方を変更できたが、この場合でもペンダントトップをペンダントチェーンから取り外さなければならなかった。
【先行技術文献】
【特許文献】
【０００３】
【特許文献１】（非）特許文献ｎ
【考案の概要】
【考案が解決しようとする課題】
【０００４】
解決しようとする問題点は、ペンダントトップの形状の変化、もしくは見せ方の変化が、ペンダントチェーンから外さなければ実現出来ない点である。
【課題を解決するための手段】
【０００５】
この欠点は、ペンダントを身に付ける際、形状を変化させようとする際に、身に付ける方にとっての障害である。具体的には、細かな作業を行うことが困難な方がペンダントトップの形状等を変化させることが出来ない、あるいは形状等を変化させようとする際に発生するペンダントトップをペンダントチェーンから外さなければならない煩わしい作業から、これを敬遠し機能を活用しないという問題があった。
【考案の効果】
【０００６】
ペンダントトップをペンダントチェーンに通した状態のまま、且つペンダントトップをペンダントチェーンから外すことなく、ペンダントトップに設定したパーツ（ペンダントチェーンに引掛けて固定するためのパーツ）を、ペンダントトップがペンダントチェーンに通してある部位を基軸として、同パーツをペンダントチェーンの右側に掛けるか、左側に掛けるか、もしくは掛けないかで３通りの身に付け方を可能とした。
【図面の簡単な説明】
【０００７】
【図１】ペンダントトップをダイヤモンド等の石を留める石座部（1.）、稼働を促す可動部（2.）、石座部から可動部が外れないようにするための固定部（3.）の3層構造に分け、各々を製作し組立てる。この際、石座部には可動部の稼働域を制限するためのストッパー（1a.）を設けることにより、稼働域を調整する機構を持たせる。また、ペンダントチェーンにペンダントトップを引掛ける引掛け部（4.）を設けることにより、ペンダントトップをペンダントチェーンに簡単に引掛けられ形状変化等ができるペンダントトップとする。
【図２】実施例として、ペンダントトップをペンダントチェーンに通したまま、引掛け部を使用せず引掛けない形状のペンダント（1.）、引掛け部を左右に其々引掛けた場合の形状のペンダント（2.）、（3.）を表現している。
【符号の説明】
【０００８】
1.ダイヤモンド等の石を留める石座部
1a.可動部の稼働域を制限するストッパー
2.稼働を促す可動部
3．石座部から可動部が外れないように固定する固定部
4.ペンダントチェーンへ引掛けるための引掛け部
【図１】
0003186858.tif 000003
【図２】
0003186858.tif 000004
【手続補正書】
【提出日】平成25年8月23日(2013.8.23)
【手続補正１】
【補正対象書類名】実用新案登録請求の範囲
【補正対象項目名】全文
【補正方法】変更
【補正の内容】
【実用新案登録請求の範囲】
【請求項１】
ペンダントトップのジョイント部が、石を留めるための石座部（１）、前記石座部の背面部に設けられた可動部（２）、前記石座部から可動部が外れないように固定するための固定部（３）の３層構造とされており、前記石座部（１）は、さらにペンダントトップをペンダントチェーンに引掛けるための引掛け部（４）を備えることを特徴とする装身具用ペンダントトップ。
(57)【要約】      （修正有）【課題】少ない部品数で、構造が簡単、更に容易に取り付け，取り外しができるドアクローザーを提供する。【解決手段】ドアクローザーはコの字型部材１−１が、ドア扉蝶番側をコの字部材内側１−１−Ｃで挟み込み、コの字部材１−１に取り付けられたバネ付き蝶番１−３のバネの復元力でドア枠に付勢いされており、ドア扉が開いたときに発生するバネ付き蝶番１−３のバネの復元力でドア扉を閉じる構造を有する。【選択図】図１
0003186854.tif 000002
【実用新案登録請求の範囲】
【請求項１】
ドア扉蝶番側の隙間からドア扉を挟み込むコの字部材と、ドアを稼働させるバネ付き蝶番及び、それを取り付ける際、バネ付き蝶番を開く際に使用される取手から構成されるドアクローザー。
【請求項２】
バネ付き蝶番のバネの力による摩擦で、ドア扉及びドア枠に付勢されているだけであり、それを緩めれば容易に取り外せるドアクローザー。
【考案の詳細な説明】
【技術分野】
【０００１】
本発明は，建築物におけるドアを閉めるために取り付けるドアクローザーに関する。
【背景技術】
【０００２】
従来より，建築物のドアを閉めるために取り付けられるドアクローザーとして，
例えば，『特許文献１』，『特許文献２』等に開示されたものがある。
【先行技術文献】
【特許文献】
【０００３】
【特許文献１】特開２００１−２８８９５６  公報
【特許文献２】特開２００３−１２９７４１ 公報
【考案の概要】
【考案が解決しようとする課題】
【０００４】
しかしながら，上記従来のドアクローザーの構造は，一般に複雑である。
また、一度取り付けると容易に取り外しが出来ない。
本発明は，これらを解決する事を課題とする
【課題を解決するための手段】
【０００５】
以上の課題を解決する為に、まず本考案のドアクローザーはコの字型部材とそれに取り付けられたバネ付き蝶番及びそれに付く取手の３つの部品のみで構成される。
また、ドアクローザーの取り付けもバネ付き蝶番のバネの復元力による摩擦によってのみ固定されている。
コの字部材をドア扉側に挟み込み、ドアが開くことによりバネ付き蝶番が圧縮され
それが戻る力によりドアが自動的に閉じられていく。
【考案の効果】
【０００６】
上述のごとく，本考案によれば，少ない部品数で、構造が簡単、
更に容易に取り付け，取り外しができるドアクローザーを提供することができる。
【図面の簡単な説明】
【０００７】
【図１】『図１』本発明の斜視図。
【図２】ドアクローザーのバネ付き蝶番を開いた状態の斜視図。
【図３】ドアクローザーを設置した状態でドアが閉じている場合の平面図。
【図４】ドアクローザーを設置した状態でドアが開いている場合の平面図。
【図５】ドアクローザーをドアに取り付けている説明図。
【図６】ドアクローザーをドアに取り付けた状態の説明図。
【考案を実施するための形態】
【０００８】
本考案の実施形態例にかかるドアクローザーに付き、図１〜図６を用いて説明する。
まず、図１に示す様にドアクローザーは、コの字部材1-1とバネ付き蝶番1-3を接合面Aで接合し、更にバネ付き蝶番1-3と取手1-2を図２の接合面Bで接合することで構成される。
【０００９】
取り付ける際は図２の様に取手部分1-2を用いてバネ付き蝶番1-3を開き、図５の様に開いたドアの
ドア扉2-1とドア枠2-2の隙間に、コの字部材1-1の内側部1-1-Cでドア扉2-1の蝶番側3-1-Aを挟み込む様に落とし込んで取り付ける。
【００１０】
取り付け後、ドアクローザーは図６の様にバネ付蝶番1-3のバネの力による摩擦で
ドア扉2-1及びドア枠2-2に付勢されているだけであり、それを緩めれば容易に取り外せる。
【００１１】
ドア2-1を開くと、図４の様にバネ付き蝶番1-3のバネが働き、その復元力によってドア扉2-1から
手を離すと自動的にドア扉2-1が閉まる。
【符号の説明】
【００１２】
1 ......... ドアクローザー
1-1 .......  コの字部材
1-1-C …     コの字部材内側
1-2 .......  取り付け様取手
1-3 .......  バネ付き蝶番
2 .........  建築物
3-1 .......  ドア扉
3-1-A …...  ドア扉蝶番側
3-2 .......  ドア枠
【図１】
0003186854.tif 000003
【図２】
0003186854.tif 000004
【図３】
0003186854.tif 000005
【図４】
0003186854.tif 000006
【図５】
0003186854.tif 000007
【図６】
0003186854.tif 000008
【手続補正書】
【提出日】平成25年8月27日(2013.8.27)
【手続補正１】
【補正対象書類名】実用新案登録請求の範囲
【補正対象項目名】請求項１
【補正方法】変更
【補正の内容】
【請求項１】
ドア扉蝶番側の隙間からドア扉を挟み込むコの字部材とドアを稼働させるバネ付き蝶番を、
コの字部材の接合面Ａで接合、
及びバネ付き蝶番の接合面Ｂに取手を接合した形で構成されるドアクローザー。
【手続補正２】
【補正対象書類名】実用新案登録請求の範囲
【補正対象項目名】請求項２
【補正方法】変更
【補正の内容】
【請求項２】
バネ付き蝶番のバネの力による摩擦で、ドア扉及びドア枠に付勢されているだけであり、
それを緩めれば容易に取り外せる事を特徴とする請求項１記載のドアクローザー。
(57)【要約】      （修正有）【課題】丈の短い子供用キャディバックを乗用ゴルフカートに安定保持する保持具を提供する。【解決手段】挿入される上部開口部１を有する筒状部材２からなり、この筒状部材の内部の中間に子供用キャディバックの底部を受ける中間底部３を設けたことを特徴とする。筒状部材上部開口部１から中間底部３までキャディバックが約２５ｃｍ入ることにより、横方向のズレが無くなる、また大人用のキャディバックと同じ丈になるので乗用カートにしっかりと固定できる。【選択図】図２
0003186811.tif 000002
【実用新案登録請求の範囲】
【請求項１】
子供用キャディバックが挿入される上部開口部を有する筒状部材からなり、この筒状部材の内部の中間に子供用キャディバックの底部を受ける中間底部を設けたことを特徴とする子供用キャディバックの保持具。
【考案の詳細な説明】
【技術分野】
【０００１】
本考案は、丈の短い子供用キャディバックを乗用ゴルフカートに安定的に固定できる保持具に関する。
【背景技術】
【０００２】
子供用（ジュニア）のキャディバックは大人用に比べ丈が短く、乗用ゴルフカートに単体で固定できず、ゴルフ場側がダンボール箱などで応急的に大人用の高さに近づけ固定している。
【考案の概要】
【考案が解決しようとする課題】
【０００３】
ダンボール箱などで応急処置した見た目の悪さ  及びカート走行時の振動などでキャディバックが落ちそうになるという短所があった。
【課題を解決するための手段】
【０００４】
本考案の子供用キャディバックの収納具は、子供用キャディバックが挿入される上部開口部を有する筒状部材からなり、この筒状部材の内部の中間に子供用ゴルフバックの底部を受ける中間底部を設けたことを特徴とする。
【考案の効果】
【０００５】
上記の構成により、子供用キャディバックを乗用ゴルフカートに簡単にしっかりと固定でき、見た目も改善するという作用効果が生じる。
【図面の簡単な説明】
【０００６】
【図１】この考案の実施例を示す側面図である。
【図２】上記実施例の斜視図である。
【図３】上記実施例の取付状態を示す説明図である。
【図４】上記実施例の使用状態を示す説明図である。
【考案を実施するための形態】
【実施例１】
【０００７】
上部開口部１を持つ筒状部材２の内部に中間底部３設け、ジュニア用キャディバック４が中間底部３に乗る事により大人用キャディバックと同じ長さにすることが出来る。
中間底部は筒状部材と一体化、別体化は限定するものではない。
乗用カート５のキャディバック底受部６とキャディバック上部受部７の支持点で大人用キャディバックと同じように安定して固定することが出来る。
中間底部３は、筒状部材と一体化していても良く、また、別体化していても良い。筒状部材２としているが上部から見たとき新円に限るものではない。
【産業上の利用可能性】
【０００８】
ジュニアゴルファーはこれから増えると思います。
（１）オリンピック競技になったこと
（２）以前より格段にゴルフプレー料金が安くなった事
（３）ゴルフ人口が減ってきている中、ゴルフ場の将来を賭けジュニアゴルファーの参加、育成に力を入れてきている。
以上の理由によりジュニアゴルファーの親、又ゴルフ場での購入が見込まれる。  
【符号の説明】
【０００９】
１      上部開口部
２      筒状部材
３      中間底部
４      ジュニア用キャディバック
５      乗用カート（後部）
６      キャディバック底部受け
７      キャディバック上部受け
【図１】
0003186811.tif 000003
【図２】
0003186811.tif 000004
【図３】
0003186811.tif 000005
【図４】
0003186811.tif 000006
(57)【要約】      （修正有）【課題】河川で増水、減水した時でも水上において最良の水力を得ることが出来る発電機を提供する。【解決手段】羽根付き水車３と、羽根付き水車シャフトの周囲に設けられた浮２と凹面を有するリング４と、発電機１とを備える水車式発電機であって、シャフトの回転力をベルト５にて発電機に伝達するとともに、シャフトをリング上に設置することを特長とする。【選択図】図１
0003186044.tif 000002
【実用新案登録請求の範囲】
【請求項１】
羽根付水車に浮き袋を設け、羽根付水車がリング上を動く発電機。
【考案の詳細な説明】
【考案の概要】
【考案が解決しようとする課題】
【０００１】水上において水車浮上発電機である。【０００２】羽根付き水車に浮き袋を取り付ける。
【考案の効果】
【０００３】河川で増水、減水した時でも発電する事が出来る。
考案を実施するための形態【０００４】以下、本案の実施例について説明する、図１にもとずいて羽根付き水車に浮き袋を取り付け、羽根付き水車と発電機をベルトで伝道する、又羽根付き水車が水の増水、減水した時リング上を動く事により最良の水力得る。
【図面の簡単な説明】
【０００６】
【図１】発電機の側面図
【図２】発電機の正面図
【符号の説明】
【０００７】１  発電機    ２  浮き袋    ３  羽根付き水車    ４  リング
５  ベルト    ６  歯車
【図１】
0003186044.tif 000003
【図２】
0003186044.tif 000004
【手続補正書】
【提出日】平成25年6月13日(2013.6.13)
【手続補正１】
【補正対象書類名】実用新案登録請求の範囲
【補正対象項目名】全文
【補正方法】変更
【補正の内容】
【実用新案登録請求の範囲】
【請求項１】
羽根付き水車と、前記羽根付き水車シャフトの周囲に設けられた浮と凹面を有するリングと、発電機とを備える水車式発電機である、前記シャフトの回転力をベルトにて前記発電機に伝達するとともに、前記シャフトを前記リング上に設置することを特長とする水車式発電機。
(57)【要約】      （修正有）【課題】ロードコーンによる交通規制に高さを加えることにより、通行車両に圧迫感を与え減速効果をもたらす交通規制用具を提供する。【解決手段】発光体３と反射体４とを交互に連結してなる円柱状もしくは筒状の部材を、ロードコーン１の上部から縦に差し込んだことを特徴とする。これにより、ロードコーンの規制に高さが生し、連続的に設置することで速度の速い車両からは壁の様な感覚にとらわれ、そのことにより減速効果が望め、より安全な交通規制が可能になる。【選択図】図１
0003186046.tif 000002
【実用新案登録請求の範囲】
ロードコーン上部にある工事用保安灯差込口に縦に差し込み光の反射、点滅等により通行車両に注意を喚起するために使用する円柱状、筒状の交通規制用具。
【考案の詳細な説明】
【考案の詳細な説明】
【産業上の利用分野】
【０００１】  この考案は交通規制用具に関するものである。
【背景技術】
【０００２】  この考案に核等する規制具はない。
【考案が解決しようとする課題】
【０００３】  従来は規制区分をロードコーンで行っていたが線状の規制で圧迫感が無く通行車両を安全な速度で通行させることができなかった。
【問題を解決するための手段】
【０００４】  ロードコーン上部に縦型コーンバーを差し込み使用すると規制に高さが生まれる、連続して使用すると速い速度の車両から見ると壁のような感覚にとらわれ圧迫感を感じる、その感覚により車両速度の減速が望める。
【実施例】
【０００５】  以下、本考案の縦型コーンバーについて実施例を図１に基づいて説明する。
縦型コーンバーは安全色彩色又は発光体部（３）、反射材を貼り付けた部分（４）を交互に配置し最下部は差込み部で構成されている。【０００６】  本考案の縦型コーンバーはロードコーン上部にある工事保安灯用孔を利用し縦に差込使用する。
【考案の効果】
【０００７】  本考案は上記の構造をなすものであるから、ロードコーン規制に高さが生まれ、より規制の認識度が増す、また規制による圧迫感などにより通行車両の減速が望め、より工事の安全性を確保できる。
【図面の簡単な説明】
【図１】本考案の実施例を示す正面図
【図２】縦型コーンバーの正面図
【符号の説明】１はロードコーン
２は工事保安灯差込み用部品
３は安全色彩色または発光体部
４は反射材部
５は差込み部
【図１】
0003186046.tif 000003
【図２】
0003186046.tif 000004
【手続補正書】
【提出日】平成25年7月3日(2013.7.3)
【手続補正１】
【補正対象書類名】実用新案登録請求の範囲
【補正対象項目名】全文
【補正方法】変更
【補正の内容】
【実用新案登録請求の範囲】
【請求項１】
発光体と反射体とを交互に連結してなる円柱状もしくは筒状の部材を、ロードコーンの上部から縦に差し込んでなる交通規制用具。
(57)【要約】      （修正有）【課題】生簀のブリーザーパイプの上部に取り付けることにより、船舶（ボート）走行時において、生簀内の小魚等が吸い込まれる等のトラブルを防止する船舶生簀用ブリーザーパイプキャップを提供する。【解決手段】船舶の生簀ＩのブリーザーパイプＰの上部の排水口Ｈに取り付けるべく、メッシュ状の隙間を形成してなる小魚吸い込み防止口２と取付部３とからなることを特徴とする。【選択図】図４
0003186049.tif 000002
【実用新案登録請求の範囲】
【請求項１】
船舶の生簀のブリーザーパイプの上部の排水口に取り付けるべく、隙間を形成してなる小魚吸い込み防止口と取付部とからなることを特徴とする船舶生簀用ブリーザーパイプキャップ。
【考案の詳細な説明】
【技術分野】
【０００１】  本考案は、船舶（ボート等）にも受けた生簀内のブリーザーパイプに取り付ける船舶生簀用ブリーザーパイプキャップに関するものである。
【背景技術】
【０００２】  従来品のブリーザーパイプは、ボート走行時の生簀内の小魚、飯蛸等が吸い込まれることにより生簀内の排水が出来なくなり生簀がオーバーフローをし、他の区画が浸水し走行に重大な影響を与える事があった。【０００３】  また、同様なものではないが、従来技術として、船舶の甲板に備えられ、船舶の航行によって海等から海水等を給水及び排水するように構成された生き魚用水槽であって、海等から海水等を給水する給水管と、当該給水管が給水した海水等を溜める保水槽の海水等に排水する配水管とから成る船舶用魚水槽において、上記給水管の内部に、当該給水管の内部を流れる海水等の流量が上記配水管の排水量より多く流れ込むと上記給水管の内部の流れを止める止水弁を設けたことを特徴とする船舶用魚水槽がある。（特許文献１参照）
【先行技術文献】
【特許文献】
【０００４】
【特許文献１】  実開平６−２２１９５号公報
【考案の概要】
【考案が解決しようとする課題】
【０００５】  上記従来の実用新案においては、給水管の内部に流入する海水の流量によって開閉する止水バルブが取り付けてあるのが特徴であり、本考案のように船舶（ボート）走行時において、生簀内の小魚等が吸い込まれる等のトラブルを防止するものではない。【０００６】  よって、本考案は、生簀のブリーザーパイプの上部に取り付けることにより、船舶（ボート）走行時において、生簀内の小魚等が吸い込まれる等のトラブルを防止する船舶生簀用ブリーザーパイプキャップを提供することを目的とする。
【課題を解決するための手段】
【０００７】  本考案は、船舶の生簀のブリーザーパイプの上部の排水口に取り付けるべく、隙間を形成してなる小魚吸い込み防止口と取付部とからなることを特徴とする船舶生簀用ブリーザーパイプキャップ。
【考案の効果】
【０００８】１）、隙間を形成してなる小魚吸い込み防止口と取付部とからなる船舶生簀用ブリーザーパイプキャップにより、特に船舶（ボート）の走行時において、生簀内の小魚等がブリーザーパイプ内へ吸い込まれることが防止できるものである。
【図面の簡単な説明】
【０００９】
【図１】本考案の一実施例を示す船舶生簀用ブリーザーパイプキャップの正面図。
【図２】本考案の一実施例を示す船舶生簀用ブリーザーパイプキャップの平面図。
【図３】本考案の一実施例を示す船舶生簀用ブリーザーパイプキャップの使用状態図１。
【図４】本考案の一実施例を示す船舶生簀用ブリーザーパイプキャップの使用状態図１。
【考案の実施するための形態】
【００１０】  船舶生簀用ブリーザーパイプキャップ１は、船舶（ボート）の生簀のブリーザーパイプの上部の排水口に取り付けるもので、メッシュ状に形成した隙間を設けた円錐台形の小魚吸い込み防止口２と円形状の取付部３とからなるものである。
【００１１】  つぎに船舶生簀用ブリーザーパイプキャップ１の使用例について説明する。
小型ボート（船舶）Ｂの生簀Ｉ内のブリーザーパイプＰの上部の排水口Ｈに船舶生簀用ブリーザーパイプキャップ１の取付部３を装置する。
この状態であれば、生簀Ｉ内の小魚Ｓや飯蛸Ｔが排水口Ｈより吸い込まれることがなく、よって、生簀Ｉがオーバーフローすることなく使用できる。
【００１２】  上記実施例において、船舶生簀用ブリーザーパイプキャップの材質や大きさ等は必要に応じて決めるものとする。
また、小魚吸い込み防止口や取付部の形状（形態）は、同様な機能を有すれば、特に限定するものではない。
さらに、排水口と取付部の固定は、圧入やネジ止メ等、色々考えられるものである。
【符号の説明】
【００１３】１−−−船舶生簀用ブリーザーパイプキャップ
２−−−防止口
３−−−取付部
Ｉ−−−生簀
Ｐ−−−ブリーザーパイプ
Ｈ−−−排水口
Ｓ−−−小魚
Ｔ−−−飯蛸
【図１】
0003186049.tif 000003
【図２】
0003186049.tif 000004
【図３】
0003186049.tif 000005
【図４】
0003186049.tif 000006
【手続補正書】
【提出日】平成25年6月26日(2013.6.26)
【手続補正１】
【補正対象書類名】実用新案登録請求の範囲
【補正対象項目名】全文
【補正方法】変更
【補正の内容】
【実用新案登録請求の範囲】
【請求項１】
船舶の生簀のブリーザーパイプの上部の排水口に取り付けるべく、メッシュ状の隙間を形成してなる小魚吸い込み防止口と取付部とからなることを特徴とする船舶生簀用ブリーザーパイプキャップ。
(57)【要約】      （修正有）【課題】特に構造が簡単で内部の空気が漏れない軟式テニスボールを提供する。【解決手段】軟質のゴムからなり、互いに組み合わされる半円球状のシェルである、第一半円球体１１及び第二半円球体１２と、空気注入バルブ１３とを備え、その内、第一半円球体の内周面に内弧面１１０が、外周面にポイントが設けられ、第一半円球体の内弧面における、ポイントと対応する箇所に空気注入バルブが接着されるテニスボール本体を特徴とする。【選択図】図１
0003186059.tif 000002
【実用新案登録請求の範囲】
【請求項１】
軟質のゴムからなり、互いに組み合わされる半円球状のシェルである、第一半円球体及び第二半円球体と、空気注入バルブとを備え、その内、該第一半円球体の内周面に内弧面が、外周面にポイントが設けられ、該第一半円球体の内弧面における、該ポイントと対応する箇所に該空気注入バルブが接着されるテニスボール本体を有することを特徴とする軟式テニスボール。
【請求項２】
前記空気注入バルブが円柱形を呈することを特徴とする請求項１に記載の軟式テニスボール。
【考案の詳細な説明】
【技術分野】
【０００１】
本考案は、特に構造が簡単で内部の空気が漏れない軟式テニスボールに関するものである。
【背景技術】
【０００２】
図４及び図５に示すように、既存の軟式テニスボール４０は、２つの半球体４１及び締付けリング４２を備え、それらの半球体４１が組み合わせてボールとなり、一方の半球体４１の内周面に空気注入バルブ４１１が一体に形成され、この空気注入バルブ４１１の中段に外径がより小さい首部が設けられ、該半球体４１の外周面から空気注入バルブ４１１にかけて貫通状の空気注入孔４１２が形成され、また、締付けリング４２は、空気注入バルブ４１１の首部を締め付けて空気注入孔４１２を密閉させてボール内の空気を漏れないようにしている。
【考案の概要】
【考案が解決しようとする課題】
【０００３】
しかしながら、既存の軟式テニスボールは、製造する時、締付けリングを空気注入バルブの首部に嵌める必要があるので、作業時間がかかる割りに効率が悪く、また、長時間使用すると、締付けリングが緩まり、空気注入バルブから脱落して、空気注入バルブを締め付けられなくなり、ボール内部の空気が空気注入孔から漏れてしまう虞があった。
【課題を解決するための手段】
【０００４】
本考案に係る軟式テニスボールは、軟質のゴムからなり、互いに組み合わされる半円球状のシェルである、第一半円球体及び第二半円球体と、空気注入バルブとを備え、その内、該第一半円球体の内周面に内弧面が、外周面にポイントが設けられ、該第一半円球体の内弧面における、該ポイントと対応する箇所に該空気注入バルブが接着されるテニスボール本体を有することを特徴とする軟式テニスボール。
【０００５】
また、かかる軟式テニスボールにおいて、前記空気注入バルブが円柱形を呈することが好ましい。
【考案の効果】
【０００６】
本考案の軟式テニスボールは上記の構成を有することから、構造が簡単で製造しやすいと共に、既存の構造と比べると、締付けリングを有しないことから、締付けリングをバルブに嵌め込む手間がかからないので、人件費及び製造コストを節約することができる。
【図面の簡単な説明】
【０００７】
【図１】本考案に係る軟式テニスボールの分解斜視図である。
【図２】本考案に係る軟式テニスボールの部分拡大断面図である。
【図３】本考案に係る軟式テニスボールへの空気の注入方法を示す連続動作説明図である。
【図４】既存の軟式テニスボールの分解斜視図である。
【図５】既存の軟式テニスボールの部分拡大断面図である。
【考案を実施するための形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１及び図２に示すように、テニスボール本体１０は、第一半円球体１１と、第二半円球体１２と、空気注入バルブ１３とを有し、その内、該第一半円球体１１及び第二半円球体１２はそれぞれ軟質のゴムからなり、対応する形状を呈する。
【００１０】
前記第一半円球体１１と第二半円球体１２は、互いに円形の周縁を組み合わせるように接着して中空のボールとし、該第一半円球体１１の内周面に内弧面１１０が設けられると共に、外周面にポイント１１１が凹設され、該ポイント１１１は、第一半円球体１１の外周面が少し凹んだ微小な凹部である。
【００１１】
図１及び図２に示すように、前記空気注入バルブ１３は、円柱形を呈し、弾性の程度（すなわち、跳ね返り係数）が第一半円球体１１及び第二半円球体１２より低いと共に、第一半円球体１１及び第二半円球体１２よりゴムに含んだ粘着剤の量が多いものである。また、該空気注入バルブ１３は、該第一半円球体１１のポイント１１１と対応するように、内弧面１１０に接着される。尚、本実施例においてポイント１１１及び空気注入バルブ１３はそれぞれ、第一半円球体１１の外周面及び内周面の中心に互いに対応するように設けられる。
【００１２】
図３に示すように、本考案に係る軟式テニスボールに空気を注入する時は、空気入れ３０の注入針を空気注入バルブ１３の空気注入孔１３１に差し込んで空気を注入し、空気の注入が完了すると、空気入れ３０を抜き取るが、この時、空気注入バルブ１３は、含んだ粘着剤の量が第一半円球体１１及び第二半円球体１２より多いと共に、高密度を有することから、空気注入バルブ１３の空気注入孔１３１が自然に密着し、空気注入孔１３１を封止するので、テニスボールの内部の空気が外部に漏れることはない。
【００１３】
本考案に係る軟式テニスボールは、構造が簡単で製造しやすいと共に、既存の構造と異なりリングがないので、リングをバルブに取り付ける手間がかからないので、人件費や製造コストを節約することができる。
【符号の説明】
【００１４】
１０    テニスボール本体
１１    第一半円球体
１１０  弧面
１１１  ポイント
１２    第二半円球体
１３    空気注入バルブ
１３１  空気注入孔
３０    空気入れ
４０    軟式テニスボール
４１    半球体
４１１  空気注入バルブ
４１２  空気注入孔
４２    締付けリング
【図１】
0003186059.tif 000003
【図２】
0003186059.tif 000004
【図３】
0003186059.tif 000005
【図４】
0003186059.tif 000006
【図５】
0003186059.tif 000007
(57)【要約】      （修正有）【課題】誰でも簡単・容易に糸切り作業ができる糸切り具を提供する。【解決手段】薄い略方形状の平板による本体２の少なくとも角１箇所に、糸切り刃３を形設してなる。糸切り刃３の案内片３ａの先端が、本体２の外周の内側Ｕに位置してなる。本体２の板厚が、０．３ｍｍから０．４ｍｍである。これにより、コストダウンと共に、持ち運びに便利であり、前方に押しながら切ることも、手前に引張りながら切ることもできる。【選択図】図１
0003186054.tif 000002
【実用新案登録請求の範囲】
【請求項１】
薄い略方形状の平板による本体の少なくとも角１箇所に、糸切り刃を形設してなることを特徴とする糸切り具。
【請求項２】
糸切り刃の案内片の先端が、本体の外周の内側に位置してなることを特徴とする請求項１記載の糸切り具。
【請求項３】
本体の板厚が、０．３ｍｍから０．４ｍｍであることを特徴とする請求項１又は２記載の糸切り具。
【考案の詳細な説明】
【技術分野】
【０００１】  本考案は、主に裁縫等において糸を切る時に使用する糸切り具に関するものである。
【背景技術】
【０００２】  従来の技術としては、概Ｕ字形状を有する糸切り部において、Ｕ字形状における２個のそれぞれの先端部には概球形の球部を有し、Ｕ時形状の凹部を刃部としたことを特徴とする糸切り具がある。（特許文献１参照）【０００３】  また、従来の技術として、同様なものはないが、本出願人が以前出願した中心より折り曲げるべく、上下対称に形成したシームリッパー本体の先端部に切刃を挟持して固定してなるものがある。（特許文献２参照）
【先行技術文献】
【特許文献】
【０００４】
【特許文献１】  特開２００８−８６７２７号公報
【特許文献２】  特開２０１２−５８００号公報
【考案の概要】
【考案が解決しようとする課題】
【０００５】  上記前者においては、部品としてネック部と持手部が必要であり、部品点数が２点以上となり、必然的にコスト高となると共に、廃棄する時に、バラス必要があり、不便である。【０００６】  上記後者においても、同様な構造を有するものである。
【課題を解決するための手段】
【０００７】  本考案は、上記問題点を解決するため、薄い略方形状の平板による本体の少なくとも角１箇所に、糸切り刃を形設してなること。糸切り刃の案内片の先端が、本体の外周の内側に位置してなること。本体の板厚が、０．３ｍｍから０．４ｍｍであることを特徴とする。
【考案の効果】
【０００８】１）、平板による本体の少なくとも角１箇所に、糸切り刃を形設することにより、コスト    ダウンと共に、持ち運びに便利であり、前方に押しながら切ることも、手前に引張り    ながら切ることもでき、誰でも簡単・容易に糸切り作業ができる。
２）、糸切り刃を２箇所以上設けることにより、１箇所が切れなくなっても、もう１箇所    で切ることができ、便利である。
３）、刃の案内片の先端を、本体の外周の内側に位置させることにより、怪我することな    く、持ち運びや作業できるものである。
４）、本体の板厚を０．３ｍｍから０．４ｍｍとすることにより、糸切りに適合しており    、切り易い。
５）、廃業する時、バラスことなく、そのまま金属として廃棄することができ、エコであ    る。
【図面の簡単な説明】
【０００９】
【図１】  本考案の第１実施例を示す糸切り具の正面図。
【図２】  本考案の第２実施例を示す糸切り具の正面図。
【図３】  本考案の第３実施例を示す糸切り具の正面図。
【図４】  本考案の第４実施例を示す糸切り具の正面図。
【図５】  本考案の第５実施例を示す糸切り具の正面図。
【考案の実施するための形態】
【００１０】  第１実施例の糸切り具１は、ステンレス製の平板（板厚０．３ｍｍから０．４ｍｍ）を縦方向長方形状に形成した本体２の下部左角の水平方向に糸切り刃３を設けてあり、案内片３ａの先端が、本体２の外周より内側Ｕに位置してなることが望ましい。
特に、糸切り作業を手前に引きながら行うのに便利である。（図１参照）
【００１１】  第２実施例の糸切り具２１は、上記糸切り具１に加え、下部右角の水平方向に同様な糸切り刃４を形設してある。
特に、２箇所糸切り刃を設けることにより、一方の糸切り刃が切れなくなっても、即もう一方の糸切り刃で対応でき、便利である。（図２参照）
【００１２】  第３実施例の糸切り具３１は、横方向長方形に形成した本体３２の下部左角の水平方向に上記と同様な糸切り刃５を設けてある。
特に、前方に押しながら、糸切りするのに便利である。（図３参照）
【００１３】  第４実施例の糸切り具４１は、上記糸切り具３１に加え、下部右角の水平方向に同様な糸切り刃６を形設してある。
特に、一方の糸切り刃が切れなくなっても、即もう一方の糸切り刃で対応でき、便利である。（図４参照）
【００１４】  第５実施例の糸切り具５１は、前記糸切り具１に加え、上部右角垂直方向に同様な糸切り刃７を設けてあり、第１実施例と第３実施例の糸切り具１・糸切り具３１のいい所を持ってなるものである。（図５参照）
【００１５】  各実施例において、材質は、ステンレス製に限定せず、同様な機能があれば、他の材質でもよい。
また、本体の４角に糸切り刃を設けてもよい。
さらに、糸切り刃は内側全周が切れるように加工することが望ましい。
なお、使用例として、糸切り具１（２１・３１・４１・５１も基本的に同じ）の糸切り刃３の案内片３ａの先端を縫い目の糸Ｉに差し込み、前方に押したり、手前に引張たりして糸Ｉを切ることができるものである。（図６参照）
【符号の説明】
【００１６】  １−−−糸切り具
２−−−本体
３−−−糸切り刃
３ａ−−案内片
Ｕ−−−内側
【図１】
0003186054.tif 000003
【図２】
0003186054.tif 000004
【図３】
0003186054.tif 000005
【図４】
0003186054.tif 000006
【図５】
0003186054.tif 000007
【図６】
0003186054.tif 000008
【手続補正書】
【提出日】平成25年7月18日(2013.7.18)
【手続補正１】
【補正対象書類名】明細書
【補正対象項目名】０００９
【補正方法】変更
【補正の内容】
【０００９】
【図１】  本考案の第１実施例を示す糸切り具の正面図。
【図２】  本考案の第２実施例を示す糸切り具の正面図。
【図３】  本考案の第３実施例を示す糸切り具の正面図。
【図４】  本考案の第４実施例を示す糸切り具の正面図。
【図５】  本考案の第５実施例を示す糸切り具の正面図。
【図６】  本考案の第１実施例を示す糸切り具の使用状態図。
(57)【要約】      （修正有）【課題】二冊の手帳を持ち運びやすく、見やすくするブックカバーを提供する。【解決手段】ブックカバー内面における背表紙部分に、一枚のシート状部材を接合したブックカバーであって、前記シート状部材が、本の表紙又は裏表紙を差し込み可能な部分を、表裏両面に備えることで、二冊の本が同時に入れられることを特徴とするブックカバー。【選択図】図１
0003186053.tif 000002
【実用新案登録請求の範囲】
【請求項１】
従来のブックカバーを、二枚重ねて、くっ付けた様な構造で、二冊の本が同時に入れられるブックカバー。
【考案の詳細な説明】
【技術分野】
【０００１】  この考案は、二冊の手帳を一冊にまとめることができるブックカバーに関するものである。
【背景技術】
【０００２】  前年と今年の手帳を持ち運ぶ際、それぞれにブックカバーを付け、二冊を持ち運び、使っていた。
【考案の開示】
【考案が解決しようとする課題】
【０００３】  前年と今年の手帳を持ち歩く際、二冊になるためバックから出す際等、紛らわしく、取扱いが煩雑になる。
【課題を解決するための手段】
【０００４】  一つのブックカバーに二冊の手帳が入るようにする。
【考案の効果】
【０００５】  前年と今年の手帳が一冊になるので持ち運びが簡単になり、今年の手帳を使っているときにも前年のスケジュールがすぐに調べられる。
【考案を実施するための最良の形態】
【０００６】  ブックカバーの中に挟むように、手帳の表紙と裏表紙を差し込めるものを一枚追加する。外見上は普通のブックカバーのように見える。
【図面の簡単な説明】
【０００７】
【図１】本考案の斜視図
【符号の説明】
【０００８】１  前年の手帳を差し込む部分
２  今年の手帳を差し込む部分
【図１】
0003186053.tif 000003
【手続補正書】
【提出日】平成25年7月6日(2013.7.6)
【手続補正１】
【補正対象書類名】実用新案登録請求の範囲
【補正対象項目名】全文
【補正方法】変更
【補正の内容】
【実用新案登録請求の範囲】
【請求項１】
ブックカバー内面における背表紙部分に、一枚のシート状部材を接合したブックカバーであって、前記シート状部材が、本の表紙又は裏表紙を差し込み可能な部分を、表裏両面に備えることで、二冊の本が同時に入れられることを特徴とするブックカバー。